(57)【特許請求の範囲】
【請求項１】
電動機と、電動機への給電のための第１接続端子と、第１接続端子から電動機への給電をＯＮ／ＯＦＦする第１電源スイッチとを有する電動装置本体と、
前記電動装置本体に対して着脱自在に択一的に取付けられる第１電源コード及び延長ポールであって、第１接続端子に電気的に接続可能な第２接続端子を一端部に設けた第１電源コードと、第１接続端子に電気的に接続可能な第３接続端子を一端部に設け、他端部に第３接続端子に電気的に接続された第２電源コードを設けるとともに、第２電源コードから第３接続端子への給電をＯＮ／ＯＦＦする第２電源スイッチを設けた延長ポールと、
を備え、第１電源コードを電動装置本体に取付けると、第１電源スイッチにより電動機への給電がＯＮ／ＯＦＦ可能な状態となり、延長ポールを電動装置本体に取付けると、第１電源スイッチのＯＮ／ＯＦＦに関係なく、第２電源スイッチで電動機への給電がＯＮ／ＯＦＦ可能な状態となるように回路構成したことを特徴とするハンディ電動装置。
【請求項２】
前記第１接続端子を３つの接点を有する端子で構成し、電動機から導出される２本の給電コードのうちの第１給電コードを第１接続端子の第１接点に接続し、第２給電コードを第１分岐給電コードと第２分岐給電コードに分岐させ、第１接続端子の第２接点と第３接点とにそれぞれ接続するとともに、第１分岐給電コードの途中部に第１電源スイッチを介装し、第１電源コードを電動装置本体に取付けると、第２接続端子が第１接続端子の第１接点と第２接点に接続されて、第１給電コード及び第１分岐給電コードを介して電動機への給電がなされ、延長ポールを電動装置本体に取付けると、第３接続端子が第１接続端子の第１接点と第３接点に接続されて、第１給電コード及び第２分岐給電コードを介して電動機への給電がなされる請求項１記載のハンディ電動装置。
【請求項３】
前記第１接続端子を雄型端子で構成し、第２及び第３接続端子を雌型端子で構成した請求項１又は２記載のハンディ電動装置。
【請求項４】
前記第１接続端子に対して第２及び第３接続端子を逆差し不能に構成した請求項１〜３のいずれか１項記載ハンディ電動装置。
【請求項５】
前記延長ポールの先端部に延長ポールと直交方向に延びる固定ネジを回転自在に装着し、電動装置本体に固定ネジが螺合する雌ネジを固定し、延長ポールにおける固定ネジの外周側部分と電動装置本体における雌ネジの外周側部分に、角度調整可能に相互に係合する凹凸係合部を固定ネジ及び雌ネジを中心とした放射状に円周方向に間隔をあけてそれぞれ形成し、延長ポールと電動装置本体とのなす角度を調整した状態で、固定ネジを雌ネジに締め付けて両凹凸係合部を相互に係合させることで、延長ポールと電動装置本体とを所望角度に固定可能となした請求項１〜４のいずれか１項記載のハンディ電動装置。
【発明の詳細な説明】
【０００１】
【発明の属する技術分野】
本発明は、枝葉をカットするときに用いる刈込装置などのハンディ電動装置に関する。
【０００２】
【従来の技術】
枝葉の刈り込みを行うための装置として、左右両側へ突出状に延びる切刃を長さ方向に一定間隔おきに櫛状に形成した上下１組の刈込刃と、上下の刈込刃を相対的に前後方向に往復運動させるエンジンや電動モータなどを主体とした駆動ユニットとを備え、上下の刈込刃の切刃間において枝葉をカット可能となした刈込装置が広く実用化されている。
【０００３】
通常、前記ヘッジトリマーは、電動モータ付近に操作ハンドルを設けて操作するように構成しているが、このように構成すると、例えば芝生などの低所の枝葉をトリミングする際には、屈んで作業を行う必要があり、また樹木などの高所の枝葉をトリミングする際には背伸びをしてトリミングを行う必要があり、快適にトリミング可能な高さ範囲が大幅に制約されていた。
【０００４】
このような実状に鑑みて、本出願人は、実用新案登録第３０４７３５０号公報や特開２００２−５８３４１号公報に記載のようなヘッジトリマーを提案した。このヘッジトリマーでは、上下のトリミング刃とその駆動ユニットとを有するヘッジトリマー本体を、伸縮自在なポールの先端部に角度調整可能に設け、芝生等の低所の枝葉をトリミングする際には、ポールを伸ばすとともに、例えばトリミング刃が地面と平行になるようにヘッジトリマー本体の角度を調整することで、屈むことなくトリミング可能となし、また高所をトリミングする際には、ポールを伸ばすとともに、ヘッジトリマー本体の角度をトリミングし易い最適な角度に調整することで、背伸びすることなく快適にトリミングできるように構成されている。
【０００５】
【発明が解決しようとする課題】
前記公報に記載のヘッジトリマーでは、ポールを伸縮させることで、無理な姿勢をとることなく色々な作業を行えるが、次のような問題がまだ残っている。
▲１▼  ポールを含むヘッジトリマー全体の重量を支持しながら、ヘッジトリマーを操作する必要があり、特に、ポールを収縮させて使用する場合に、ポールを有しないヘッジトリマーと比してその操作性が低下する。
▲２▼  収縮させた状態においても、ポールがヘッジトリマー本体から後方へ突出するので、刈り込む場所によっては、ヘッジトリマーの操作性が反対に低下することがある。
【０００６】
本発明の目的は、操作性及び安全性に優れたハンディ電動装置を提供することである。
【０００７】
【課題を解決するための手段及びその作用】
本発明に係るハンディ電動装置は、電動機と、電動機への給電のための第１接続端子と、第１接続端子から電動機への給電をＯＮ／ＯＦＦする第１電源スイッチとを有する電動装置本体と、前記電動装置本体に対して着脱自在に択一的に取付けられる第１電源コード及び延長ポールであって、第１接続端子に電気的に接続可能な第２接続端子を一端部に設けた第１電源コードと、第１接続端子に電気的に接続可能な第３接続端子を一端部に設け、他端部に第３接続端子に電気的に接続された第２電源コードを設けるとともに、第２電源コードから第３接続端子への給電をＯＮ／ＯＦＦする第２電源スイッチを設けた延長ポールとを備え、第１電源コードを電動装置本体に取付けると、第１電源スイッチにより電動機への給電がＯＮ／ＯＦＦ可能な状態となり、延長ポールを電動装置本体に取付けると、第１電源スイッチのＯＮ／ＯＦＦに関係なく、第２電源スイッチで電動機への給電がＯＮ／ＯＦＦ可能な状態となるように回路構成したものである。
【０００８】
このハンディ電動装置は、低所や高所に対して作業を行う必要のある、例えばヘッジトリマーのように、芝生や樹木などのトリミング作業を行うための電動装置に好適である。
このハンディ電動装置の作用について、電動装置をヘッジトリマーに適用した場合を例に説明すると、例えば低所のトリミング作業を行うときには、第１電源コードを電動装置本体に取付けて、電動装置本体の第１接続端子に第１電源コードの第２接続端子を接続し、第１電源コードから電動機に対して給電して、トリミング作業を行うことになる。このように、延長ポールを取り外した状態で、即ち電動装置を軽量且つ短尺に構成した状態でトリミング作業ができるので、電動装置の操作性を格段に向上できる。
【０００９】
また、例えば高所のトリミング作業を行うときには、第１電源コードに代えて延長ポールを電動装置本体に取付け、電動装置本体の第１接続端子に延長ポールの第３接続端子を接続し、第２電源コードから電動機への給電を、手元の第２電源スイッチでＯＮ／ＯＦＦしながら、トリミング作業を行うことになる。このように延長ポールを取付けた状態でトリミング作業ができるので、高所に対するトリミングの作業性を十分に確保でき、しかもこのとき第１電源スイッチの操作に関係なく、第２電源スイッチにより電動機への給電をＯＮ／ＯＦＦできるので、トリミング作業時やそれ以外のときに第１電源スイッチが他物に当たるなどして操作された場合でも、電動機が作動しないので、作業の安全性を向上できる。
【００１０】
ここで、前記第１接続端子を３つの接点を有する端子で構成し、電動機から導出される２本の給電コードのうちの第１給電コードを第１接続端子の第１接点に接続し、第２給電コードを第１分岐給電コードと第２分岐給電コードに分岐させ、第１接続端子の第２接点と第３接点とにそれぞれ接続するとともに、第１分岐給電コードの途中部に第１電源スイッチを介装し、第１電源コードを電動装置本体に取付けると、第２接続端子が第１接続端子の第１接点と第２接点に接続されて、第１給電コード及び第１分岐給電コードを介して電動機への給電がなされ、延長ポールを電動装置本体に取付けると、第３接続端子が第１接続端子の第１接点と第３接点に接続されて、第１給電コード及び第２分岐給電コードを介して電動機への給電がなされるように構成してもよい。この場合には、接続端子を選定することで、電動装置本体に対して第１電源コードを取付けた場合と、延長ポールを取付けた場合とで、電動機への給電回路を適正に切り換えることが可能となる。
【００１１】
前記第１接続端子を雄型端子で構成し、第２及び第３接続端子を雌型端子で構成してもよい。第２接続端子及び第３接続端子は、電源側の端子なので、これを雌型端子で構成することで、感電等の事故を未然に防止できる。
【００１２】
前記第１接続端子に対して第２及び第３接続端子を逆差し不能に構成してもよい。前述のように第１接続端子を３つの接点を有する端子で構成した場合などにおいて、第２接続端子や第３接続端子を第１接続端子に対して誤って逆差しすることによる、短絡や給電不能などの問題を未然に防止できる。
【００１３】
前記延長ポールの先端部に側方へ延びる固定ネジを回転自在に装着し、電動装置本体に固定ネジが螺合する雌ネジを固定し、延長ポールにおける固定ネジの外周側部分と電動装置本体における雌ネジの外周側部分に、相互に係合する凹凸係合部を固定ネジ及び雌ネジを中心とした放射状に円周方向に間隔をあけてそれぞれ形成し、固定ネジを雌ネジに締め付けることで、両凹凸係合部を相互に係合させて、延長ポールと電動装置本体とのなす角度を固定可能となしてもよい。この場合には、固定ネジで電動装置本体を片持ち状に支持することになるので、固定ネジを両端支持する場合と比較して強度的には多少弱くなるが、構造を格段に簡素にして製作コストを低減でき、しかも凹凸係合部を設けるという簡単な構成で、電動装置本体の角度を調整することが可能となる。
【００１４】
【発明の実施の形態】
以下、本発明の実施の形態について図面を参照しながら説明する。
図１、図５、図１０に示すように、ハンディ電動装置としてのヘッジトリマー１は、電動機としての電動モータ２と、電動モータ２への給電のための第１接続端子３と、第１接続端子３から電動モータ２への給電をＯＮ／ＯＦＦする第１電源スイッチ４とを有する電動装置本体としてのヘッジトリマー本体５と、ヘッジトリマー本体５に対して着脱自在に択一的に取付けられる第１電源コード６及び延長ポール７であって、第１接続端子３に電気的に接続可能な第２接続端子８を一端部に設けた第１電源コード６と、第１接続端子３に電気的に接続可能な第３接続端子９を一端部に設け、他端部に第２電源コード１０を設けるとともに、第２電源コード１０から第３接続端子９への給電をＯＮ／ＯＦＦする第２電源スイッチ１１を設けた延長ポール７とを備え、第１電源コード６をヘッジトリマー本体５に取付けると、第１電源スイッチ４により電動モータ２への給電がＯＮ／ＯＦＦ可能な状態となり、延長ポール７をヘッジトリマー本体５に取付けると、第１電源スイッチ４のＯＮ／ＯＦＦに関係なく、第２電源スイッチ１１で電動モータ２への給電がＯＮ／ＯＦＦ可能な状態となるように回路構成したものである。尚、本発明は、ヘッジトリマー１以外の電動装置に対しても適用できる。
【００１５】
ヘッジトリマー本体５は、電動モータ２及び減速機（図示外）と、それらを内装したケーシング１２と、ケーシング１２の下部から前方へ延びる上下１組の刈込刃１３と、上下の刈込刃１３の上下両側に配置した押さえ板１４と、電動モータ２への給電をＯＮ／ＯＦＦ可能な第１電源スイッチ４と、第１電源スイッチ４の操作ボタン１５をＯＮ操作できないようにロックするロック手段（図示略）及びその解除ボタン１６とを備えている。
【００１６】
上下の刈込刃１３は、左右両側へ突出する複数の切刃を前後に一定間隔おきに備えた櫛状の周知の構成のもので、上下の押さえ板１４間に前後方向に相対移動自在に組み付けられ、電動モータ２により前後方向に相対的に往復運動させることで、上下の切刃間において枝葉をトリミングできるように構成したものである。但し、切刃の形状やサイズ、上下の刈込刃１３の駆動部の構造や運動パターン等は任意に設定可能である。
【００１７】
ロック手段は、解除ボタン１６を操作した状態でないと、第１電源スイッチ４の操作ボタン１５をＯＮ操作できないように構成した周知のもので、例えばトリミングの作業時に、操作ボタン１５が他物に接触して予期せずＯＮ操作されてしまったり、幼児や子供が誤って操作ボタン１５を操作することを防止して、ヘッジトリマー１の安全性を向上するために設けたものである。
【００１８】
ケーシング１２の上部には後方へ延びるハンドル部１７が一体的に形成され、操作ボタン１５はハンドル部１７の付け根の下側に設けられ、解除ボタン１６はハンドル部１７の付け根の途中部に設けられ、ハンドル部１７を把持した状態で操作ボタン１５及び解除ボタン１６を操作できるように構成されている。
【００１９】
図２に示すように、ケーシング１２の後端部には後方へ延びるブラケット１８が設けられ、ブラケット１８の左側には雄型端子からなる第１接続端子３が接点３ａ、３ｂ、３ｃを後方へ突出させて設けられている。そして、図１０に示すように、電動モータ２から導出される２本の給電コード２０，２１のうちの第１給電コード２０は第１接続端子３の第１接点３ａに接続され、第２給電コード２１は第１分岐給電コード２２と第２分岐給電コード２３に分岐されて第１接続端子３の第２接点３ｂと第３接点３ｃとにそれぞれ接続され、第１分岐給電コード２２の途中部は第１電源スイッチ４が介装されている。
【００２０】
次に、第１電源コード６及び延長ポール７の構成と、ケーシング１２後部に対する第１電源コード６及び延長ポール７の取付構造について説明する。
先ず、第１電源コード６及びその取付構造について、図１〜図４、図１０を参照しながら説明すると、第１電源コード６のコード６ａの一端部にはケーシング１２の後部を構成する第１後部カバー３０が取付けられ、他端部には電源プラグ３５を取付けられている。ケーシング１２の後端部には第１後部カバー３０の外周部の前端部が嵌合する嵌合溝３１が形成され、第１後部カバー３０はケーシング１２の後部に滑らかに連なって嵌合できるように構成されている。
【００２１】
第１後部カバー３０の左右両側壁の内側には前方へ延びるフック部材３２が設けられ、フック部材３２はフック部材３２から後方へ延びて第１後部カバー３０の奧部に固定された板バネ２４を介して第１後部カバー３０に弾性支持され、フック部材３２の後部には第１後部カバー３０の左右の側壁を貫通して側方へ突出する解除ボタン３３が設けられている。ケーシング１２の後面には両フック部材３２が挿通可能な挿通孔３４が形成され、第１後部カバー３０をケーシング１２の後部に嵌合させると、図３に示すように、フック部材３２が挿通孔３４を通ってケーシング１２内に挿入され、フック部材３２のフック部３２ａが挿通孔３４の内部側の口縁に係合し、これにより第１後部カバー３０がケーシング１２に固定される。また、第１後部カバー３０を取り外すときには、左右の解除ボタン１６を同時に内側へ操作してフック部３２ａと口縁との係合を解除した状態で取り外すことになる。但し、ケーシング１２に対する第１後部カバー３０の取付構造は任意に構成可能である。
【００２２】
第１後部カバー３０内には第１接続端子３の第１接点３ａと第２接点３ｂとに電気的に接続される２つの接点８ａ、８ｂを有する雌型端子からなる第２接続端子８が設けられている。第１接続端子３は、ケーシング１２の左右方向の中央部よりもやや左側に設けられ、第１接続端子３に対して第２接続端子８を逆差しできないように構成されている。第１電源コード６のコード６ａの一端部は、第１後部カバー３０内に導入されて、第２接続端子８の２つの接点８ａ、８ｂにそれぞれ接続されている。
【００２３】
第１後部カバー３０をケーシング１２に取り付けると、第１電源コード６のコード６ａが第１給電コード２０と第１分岐給電コード２２に接続されて、第１電源スイッチ４の操作により電動モータ２への給電をＯＮ／ＯＦＦできるように構成されている。つまり、延長ポール７を取り外した軽量で短尺なヘッジトリマー１で、トリミング作業を行うことが可能となり、ヘッジトリマー１の操作性を十分に確保することが可能となる。
【００２４】
次に、延長ポール７の構成及びヘッジトリマー本体５に対する延長ポール７の取付構造について、図５〜図１０を参照しながら説明する。
延長ポール７は、中空のパイプ状のポール本体３６と、ポール本体３６の一端部に設けた、ヘッジトリマー本体５に対する取付手段３７と、ポール本体３６の他端部に設けたグリップ３８と、グリップ３８の後端部から外部へ導出された第２電源コード１０と、グリップ３８に設けた第２電源スイッチ１１と、第２電源スイッチ１１の操作ボタン３９をＯＮ操作できないようにロックするロック手段（図示略）及びその解除ボタン４０と、第２電源コード１０の端部に設けた電源プラグ５１とを備えている。
【００２５】
ロック手段の基本構成は、ヘッジトリマー本体５に設けたロック手段と同様に、解除ボタン４０を操作した状態でないと、第２電源スイッチ１１の操作ボタン３９をＯＮ操作できないように構成した周知のものである。
【００２６】
延長ポール７の取付構造及び取付手段３７について説明すると、ポール本体３６の一端部にはトップカバー４１が外装固定され、トップカバー４１の先端部の左部には左方へ突出する固定筒部４２が一体的に設けられ、トップカバー４１の先端部には固定ネジ４３が固定筒部４２の中心を左右方向に挿通するように回転自在に装着され、固定ネジ４３の右端部には回転操作用の操作ノブ４４が固定されている。
【００２７】
ケーシング１２の後部の左右方向の略中央部には後方へ延びるブラケット１８が一体的に設けられ、ブラケット１８の後端近傍部には固定ネジ４３と螺合可能な雌ネジを有するナット部材４５が埋設状に固定されている。ブラケット１８の右面にはナット部材４５を中心として放射状に延びる凹凸係合部４６が環状に形成され、固定筒部４２の左端部には大径部４２ａが形成されてその左端面には凹凸係合部４６に係合する凹凸係合部４７が形成されている。そして、所望の角度で両凹凸係合部４６、４７を係合させて固定ネジ４３をナット部材４５に螺合させることで、ヘッジトリマー本体５を延長ポール７に対して所望の角度で回動不能に連結固定できる。但し、ヘッジトリマー本体５に対する延長ポール７の取付構造としては、固定ネジ４３をトップカバー４１に対して両端支持させて、その途中部にブラケット１８を挿通させたような取付構造を採用することも可能である。
【００２８】
固定筒部４２の途中部にはケーシング１２の後部に取付けられる第２後部カバー４８が回転自在に設けられ、第２後部カバー４８の前端部はケーシング１２後部の嵌合溝３１に嵌合可能に形成され、第２後部カバー４８はその前端部をケーシング１２の後端部の嵌合溝３１に嵌合させて、ケーシング１２の後部に滑らかに連なって嵌合できるように構成されている。
【００２９】
操作ノブ４４とトップカバー４１間において固定ネジ４３には固定ネジ４３を右側へ付勢するバネ部材４９が外装され、固定ネジ４３の先端近傍部にはトップカバー４１からの抜け止め用のＣリング５０が装着され、バネ部材４９の付勢力により右側へ移動した状態において、固定ネジ４３の左端部は固定筒部４２の左端よりも右側に位置するように構成され、ケーシング１２に対する第２後部カバー４８の脱着に際して、固定ネジ４３の端部がブラケット１８に緩衝しないように構成されている。
【００３０】
第２後部カバー４８の内側には第１接続端子３の第１接点３ａと第３接点３ｃに電気的に接続可能な２つの接点９ａ、９ｂを有する雌型端子からなる第３接続端子９が設けられ、第２電源コード１０はトップカバー４１の先端部から外部へ導出されて第２後部カバー４８内へ導入され、接点９ａ、９ｂにそれぞれ電気的に接続されている。この第３接続端子９に関しても第２接続端子８と同様に、ブラケット１８と第１接続端子３の位置関係から逆差しできないように構成されている。
【００３１】
第２電源コード１０の途中部には第３接続端子９への給電をＯＮ／ＯＦＦする第２電源スイッチ１１が設けられ、延長ポール７をヘッジトリマー本体５に取付けると、第３接続端子９が第１接続端子３の第１接点３ａと第３接点３ｃに接続され、第１電源スイッチ４の操作に無関係に、第１給電コード２０及び第２分岐給電コード２３を介して第２電源スイッチ１１で電動モータ２への給電をＯＮ／ＯＦＦできるように構成されている。
【００３２】
このように、延長ポール７を接続した状態では、高所に対するトリミング作業を円滑に行うことが可能となり、しかも第１電源スイッチ４と無関係に、第２電源スイッチ１１により電動モータ２への給電をＯＮ／ＯＦＦできるので、トリミング作業時やそれ以外のときに第１電源スイッチ４が他物に当たるなどして操作された場合でも、電動モータ２が作動しないので、作業の安全性を向上できる。
【００３３】
【発明の効果】
本発明に係るハンディ電動装置によれば、例えば低所に対して作業を行うときには、第１電源コードを電動装置本体に取付けて、電動装置本体の第１接続端子に第１電源コードの第２接続端子を接続し、第１電源コードから電動機に対して給電して、延長ポールを取り外した状態、即ち電動装置を軽量且つ短尺に構成した状態で作業を行うことができるので、電動装置の操作性を格段に向上できる。また、高所に対して作業を行うときには、第１電源コードに代えて延長ポールを電動装置本体に取付け、電動装置本体の第１接続端子に延長ポールの第３接続端子を接続し、第２電源コードから電動機への給電を、手元の第２電源スイッチでＯＮ／ＯＦＦしながら作業を行うことで、高所に対する作業性を十分に確保でき、しかもこのとき第１電源スイッチの操作に関係なく、第２電源スイッチにより電動機への給電をＯＮ／ＯＦＦできるので、第１電源スイッチが他物に当たるなどして操作された場合でも、電動機が作動しないので、作業の安全性を向上できる。
【００３４】
ここで、第１接続端子を３つの接点を有する端子で構成し、第１電源コードを電動装置本体に取付けると、第２接続端子が第１接続端子の第１接点と第２接点に接続されて、第１給電コード及び第１分岐給電コードを介して電動機への給電がなされ、延長ポールを電動装置本体に取付けると、第３接続端子が第１接続端子の第１接点と第３接点に接続されて、第１給電コード及び第２分岐給電コードを介して電動機への給電がなされるように構成すると、接続端子を選定することで、電動装置本体に対して第１電源コードを取付けた場合と、延長ポールを取付けた場合とで、電動機への給電回路を適正に切り換えることが可能となる。
【００３５】
第１接続端子を雄型端子で構成し、第２及び第３接続端子を雌型端子で構成すると、第２接続端子及び第３接続端子は、電源側の端子なので、これを雌型端子で構成することで、感電等の事故を未然に防止できる。
【００３６】
第１接続端子に対して第２及び第３接続端子を逆差し不能に構成すると、前述のように第１接続端子を３つの接点を有する端子で構成した場合などにおいて、第２接続端子や第３接続端子を第１接続端子に対して誤って逆差しすることによる、短絡や故障などの問題を未然に防止できる。
【００３７】
延長ポールの先端部に側方へ延びる固定ネジを回転自在に装着し、電動装置本体に固定ネジが螺合する雌ネジを固定し、延長ポールにおける固定ネジの外周側部分と電動装置本体における雌ネジの外周側部分に、相互に係合する凹凸係合部を固定ネジ及び雌ネジを中心とした放射状に円周方向に間隔をあけてそれぞれ形成し、固定ネジを雌ネジに締め付けることで、両凹凸係合部を相互に係合させて、延長ポールと電動装置本体とのなす角度を固定可能となすと、固定ネジで電動装置本体を片持ち状に支持することになるので、固定ネジを両端支持する場合と比較して強度的には多少弱くなるが、構造を格段に簡素にして製作コストを低減でき、しかも凹凸係合部を設けるという簡単な構成で、電動装置本体の角度を調整することが可能となる。
【図面の簡単な説明】
【図１】  第１電源コードを取付けた状態でのヘッジトリマーの（ａ）は側面図、（ｂ）は平面図
【図２】  第１電源コードとヘッジトリマー本体の要部の分解斜視図
【図３】  図１のIII-III線断面図
【図４】  ヘッジトリマー本体と第１電源コードとを切り離した状態での図３相当図
【図５】  延長ポールを取付けた状態でのヘッジトリマーの（ａ）は側面図、（ｂ）は平面図
【図６】  延長ポールの（ａ）は側面図、（ｂ）は平面図
【図７】  延長ポールとヘッジトリマー本体との接続部分における分解斜視図
【図８】  図５のVIII-VIII線断面図
【図９】  ヘッジトリマー本体と延長ポールとを切り離した状態での図８相当図
【図１０】  ヘッジトリマーの電源回路の説明図
【符号の説明】
１      ヘッジトリマー  ２      電動モータ
３ａ    第１接点        ３ｂ    第２接点
３ｃ    第３接点        ３      第１接続端子
４      第１電源スイッチ
５      ヘッジトリマー本体
６      第１電源コード  ６ａ    コード
７      延長ポール
８ａ    第１接点        ８ｂ    第２接点
８      第２接続端子    ９ａ    第１接点
９ｂ    第２接点        ９      第２接続端子
１０    第２電源コード  １１    第２電源スイッチ
１２    ケーシング      １３    刈込刃
１４    押さえ板        １５    操作ボタン
１６    解除ボタン      １７    ハンドル部
１８    ブラケット      ２０    第１給電コード
２１    第２給電コード
２２    第１分岐給電コード
２３    第２分岐給電コード
２４    板バネ
３０    後部カバー        ３１    嵌合溝
３２ａ  フック部          ３２    フック部材
３３    解除ボタン        ３４    挿通孔
３５    電源プラグ        ３６    ポール本体
３７    取付手段          ３８    グリップ
３９    操作ボタン        ４０    解除ボタン
４１    トップカバー      ４２    固定筒部
４２ａ  大径部            ４３    固定ネジ
４４    操作ノブ          ４５    ナット部材
４６    凹凸係合部        ４７    凹凸係合部
４８    後部カバー        ４９    バネ部材
５０    Ｃリング          ５１    電源プラグ
【図１】
0003722077.tif 000002
【図２】
0003722077.tif 000003
【図３】
0003722077.tif 000004
【図４】
0003722077.tif 000005
【図５】
0003722077.tif 000006
【図６】
0003722077.tif 000007
【図７】
0003722077.tif 000008
【図８】
0003722077.tif 000009
【図９】
0003722077.tif 000010
【図１０】
0003722077.tif 000011